(57)【特許請求の範囲】
【請求項１】
容器の上部に装着された噴射ボタンが、水平方向の３個所に噴出部を有し、各噴出部に上下方向の角度が異なる複数個の噴孔を有し、
第１の噴出部と第２の噴出部の拡がり角度が平面視で６０〜１２０°であり、
第１の噴出部と第２の噴出部の間に第３の噴出部を有し、
各噴孔から噴射される噴霧粒子が、容器を床面に置いて噴射したとき、床面より１５０ｃｍを超えて上昇しない室内噴射用のエアゾール製品。
【請求項２】
噴射操作をした後、所定の時間経過後に噴霧を始める遅延機構を備えている請求項１記載のエアゾール製品。
【請求項３】
噴霧粒子の平均粒子径が５〜２０μｍである請求項１または２記載のエアゾール製品。
【発明の詳細な説明】
【０００１】
【発明の属する技術分野】
本発明は室内噴霧用のエアゾール製品、とくに畳、カーペットなどの床面に、殺虫剤、忌避剤、芳香剤などの薬剤を適用するエアゾール製品に関する。
【０００２】
【従来の技術】
室内、とくに畳やカーペットなどに潜むダニやゴキブリを駆除する殺虫剤を広範囲に散布する手段として、いわゆる薫蒸タイプのもののほか、水を入れることによる発熱反応を利用し、薬剤を蒸散させるタイプのものや、噴射剤の力で薬剤を上方へ噴射させるエアゾール製品などが知られている。上記の製品は噴霧粒子が上方へ上昇し、下降する途中で拡散されるため、部屋全体、とくに床面全体の害虫駆除のためには効果が高いものとはいえない。また、カーペット全体を除菌するための効率的な製品がないのが現状である。
【０００３】
他方、特許第２８１９４８１号公報には、それぞれ仰角が５０〜８５゜（斜め上方）の範囲に設定した互いに逆方向を向く２個の噴出部を有する、一時に噴射するタイプのエアゾール装置が開示されている。このものは部屋の中央に設置して作用させることにより、部屋全体にできるだけ均等に薬剤の効果を及ぼすことを狙ったものである。また、特開平６−１６９６７６号公報には、噴射方向に１個ずつ設けた噴孔の仰角を１０〜５０゜とした同様のエアゾール装置が開示されている。このものは最終的には床面に薬剤を適用するものであるが、噴霧粒子が部屋の隅まで到達するように、使用者が薬剤を吸引しない範囲で比較的上方まで高く噴射するようにしている。なお、この公報では、部屋の隅まで到達する前に落下しないように、噴霧粒子の平均粒子径を２０μｍ以下にすること、および床面への落下を確実にするため、平均粒子径を１μｍ以上にすることを提案している。
【０００４】
【発明が解決しようとする課題】
前記斜め上方に噴射するエアゾール製品は、真上に噴射するものに比して薬剤の適用範囲が広くなり、両側に噴射することにより、部屋の中央に載置しても広い範囲に適用しうる利点がある。しかし各噴孔から霧状に噴射された薬剤が噴射剤の気流に乗って舞い上がり、家具などの調度品、衣類、テーブル上に乗っている食器や食品などに付着することになる。そのため、事前にカバーをかけたり、冷蔵庫や気密性が高い収納棚に収納する必要があり、手間がかかる。さらに従来のエアゾール製品では噴射角度が一定であるため、噴霧粒子はほぼ放物線を描き、噴孔から特定の距離で床面に落下する。そのため、特定の箇所では落下した薬液の濃度が高く、他の部位では濃度が低くなり、とくに広い床面に対しては薬液の濃度が不均一になる。その場合、ゴキブリのような大きく移動する害虫は、濃度が低い部位に逃げるので、殺虫効果が不充分である。本発明はこのような問題に鑑み、できるだけ手間をかけず、しかも広い床面に対してもできるだけ均一に薬剤を散布しうるエアゾール製品を提供することを課題としている。
【０００５】
【課題を解決するための手段】
本発明の室内噴霧用のエアゾール製品（請求項１）は、容器の上部に装着された噴射ボタンが、水平方向の３個所に噴出部を有し、各噴出部に上下方向の角度が異なる複数個の噴孔を有し、第１の噴出部と第２の噴出部の拡がり角度が平面視で６０〜１２０°であり、第１の噴出部と第２の噴出部の間に第３の噴出部を有し、各噴孔から噴射される噴霧粒子が、容器を床面に置いて噴射したとき、床面より１５０ｃｍを超えて上昇しないことを特徴としている。
【０００７】
前記いずれのエアゾール製品においても、噴射操作をした後、所定の時間経過後に噴霧を始める遅延機構を設けるのが好ましい（請求項２）。さらに噴霧粒子の平均粒子径が５〜２０μｍであるものが好ましい（請求項３）。
【０００８】
【作用および発明の効果】
本発明のエアゾール製品（請求項１）では、噴射操作をすると、各噴孔から薬剤が噴射される。そのとき各噴孔から噴射される薬剤の噴霧粒子は、床面より１５０ｃｍを超えて上昇しない。そのため、噴射された粒子は高く舞い上がらず、大部分は床面に沿って拡がる噴射剤の気流に乗って広く散布される。そのため、家具や食器など、不要なものへの薬剤の付着を減少させることができる。なお、床面より１００ｃｍ、さらには８０ｃｍを超えて上昇しないものは、一層、家具などへの付着が防止できる。また水平方向の複数箇所の噴射部を設けているので、広く面状に噴射することができ、広範囲に薬液を付着させることができると共に、各噴射部における互いに上下方向の角度が異なる複数個の噴孔からそれぞれ噴射されるので、上側の噴孔から噴射された噴霧粒子は遠くまで達して床面に落下し、下側の噴孔から噴射された噴霧粒子は、比較的近くの床面に落下する。そのため、床面の薬剤の分布が均一になる。したがってダニやゴキブリなどの床面ないしその近辺で生存する害虫に対する駆除効果を充分に維持しながら、家具や食器への付着を大幅に減少させることができる。
【０００９】
噴射部が２ヶ所で、第１の噴出部と第２の噴出部の拡がり角度が６０〜１２０゜であるため、エアゾール製品を部屋のコーナー部あるいはその近辺に配置し、第１の噴出部および第２の噴出部をそのコーナー部を挟んで隣接する両側の壁に向けて配置することにより、ほぼ部屋の全体に霧状に噴霧して薬剤を行き渡らせることができる。また、第１の噴出部と第２の噴出部の間に第３の噴出部を設けているため、さらにエアゾール製品を設置しているコーナー部と対向するコーナー部に向かって薬剤を噴射することができる。そのため一層広範に散布することができる。
【００１１】
本発明のエアゾール製品は、使用者が噴射開始の操作をして噴射が始まるとき、噴霧される高さはせいぜい使用者の腰程度であるから、使用者が薬剤を吸引する問題はほとんどない。また噴出部の向きから外れた位置で噴射開始の操作をすれば、使用者に薬液がかかることもない。しかし上記のエアゾール製品に、噴射操作をした後、所定の時間経過後に噴霧を始める遅延機構を設ける場合（請求項２）は、使用者は噴射が開始する前に室外などに待避することができる。そのため一層確実に吸引を防止することができ、使用者にかかることも防止することができる。
【００１２】
さらに噴霧粒子の平均粒子径が５〜２０μｍであるエアゾール製品（請求項３）は、ボタンの噴孔から噴射された後、ただちに落下することがなく、しかも上方に高く舞い上がらない。そのため、床面に沿ってより広く拡散させることができる。すなわち粒子径が２０μｍより大きい場合は、粒子が重く、すぐに落下するので遠くへ飛ばない。逆に５μｍより小さい場合は、粒子が軽すぎ、高く舞うだけとなり、その場合も遠くへ飛ばない。したがって５〜２０μｍの範囲が最も好ましい。
【００１３】
【発明の実施の形態】
つぎに図面を参照しながら本発明のエアゾール製品の実施の形態を説明する。図１ａは本発明のエアゾール製品の一実施形態を示す側面図、図１ｂはそのエアゾール製品のボタンの拡大斜視図、図１ｃはそのエアゾール製品の噴射状態を示す側面図、図２はそのエアゾール製品の噴射パターンを示す平面図、図３はそのエアゾール製品の断面図、図４および図５はそれぞれ本発明にかかわる遅延機構の実施形態を示す断面図、図６は本発明の範囲外のエアゾール製品を示す側面図、図７、図８、図９および図１０は本発明の範囲外のエアゾール製品の噴射パターンを示す概略平面図である。
【００１４】
図１ａに示すエアゾール製品１０は、容器本体１１と、その上部に取り付けられるバルブ（図３の符号１２）と、そのバルブのステム（図３の符号１３）に取り付けられるボタン（噴射ボタン）１４と、容器本体１１の肩部に取り付けられる肩カバー（キャップ）１５と、容器本体１１内に充填されている組成物（内容物）とから構成されている。ボタン１４の側面には、図１ｂに示すように、平面視で約９０゜の間隔で設けた２箇所の噴出部１６ａ、１６ｂと、その間に設けた１箇所の噴出部１６ｃとを備えている。
【００１５】
さらにこのように左右方向（水平方向）に３列で設けた噴射部１６のそれぞれには、上下方向の角度が異なる３個の噴孔１７ａ、１７ｂ、１７ｃが設けられている。なお噴射部１６の列数、噴孔１７の個数はそれぞれ例示であり、２列あるいは４列以上の噴射部１６を設けてもよく、２個あるいは４個以上の噴孔１７を設けてもよい。図１ｃに示すように、各噴孔１７の中心線と水平面Ｈとがなす角度θは、たとえば−３０〜＋３０゜程度である。その場合、下方の噴孔１７ｃが水平面Ｈより下を向き、中間の噴孔１７ｂが水平を向き、上方の噴孔１７ａが水平面より上を向くようにするのが好ましい。しかしすべての噴孔１７ａ〜ｃが水平面より上を向いていてもよく、また、すべての噴孔が下を向いていてもよい。
【００１６】
ただしこのエアゾール製品１０では、図１ｃに示すように、噴出部１６から噴射された粒子が床面１９から所定の高さｈ、ここでは１５０ｃｍ以下の範囲になるようにしている。なお符号Ｆはその床面１９から１５０ｃｍの高さの制限面を示している。そのような噴射範囲の制限は、噴出部の向きだけでなく、噴霧粒子の平均粒子径（原液と噴射剤の割合、バルブや噴孔の孔径）、原液の比重、噴射速度（製品圧力）、噴霧の拡がり角度を適切に設計することにより達成しうる。すなわち噴霧粒子の下降速度が速い場合は、噴出部１６がいくらか上を向いていても、噴霧粒子が制限面Ｆを超えない。
【００１７】
このようなエアゾール製品１０の噴出部１６から噴出される内容物の噴射状態は、通常は図１の想像線で示すように、各噴孔１７の中心線を中心とする円錐状の領域となる。前記肩カバー１５は、その噴射パターンと干渉しないように、上端の周囲にテーパ部１８が設けられている。なおボタン１４の上下動が肩カバー１５で案内されて噴出部１６の向きが一定の場合は、噴出部１６に対応する部位のみに傾斜面などの逃げを設ければよい。
【００１８】
このようなエアゾール製品１０は、図１ｃのように、カーペットや畳などの床面１９上に載置し、ボタン１４を押すことにより噴出部１６から内容物を噴射させる。そのとき噴出部１６から下向きに噴出した噴霧粒子の一部はそのまま床面１９に向かい、さらにその一部は床面に付着する。また、床面に向かって吹き付けられる噴射剤は、床面に沿って前進する。そのため、床面に向かった噴霧粒子の一部はその流れに乗ってある程度遠くまで運ばれ、粒子径の大きいものから順に床面に落下し、その部位に付着する。他方、ほぼ真横および上方に噴出した内容物は、噴射剤の流れに乗ってかなり遠くまで運ばれる。とくに粒子径の小さいものは、３〜５ｍも運ばれてから床面に落下する。しかし上記のいずれの噴霧粒子も制限面Ｆより下方であり、高く吹き上げられないので、遠くまで運ばれた噴霧粒子も、ほとんど空気中に高く浮遊しない。そのため部屋内の家具、テーブル上の食器などに付着して汚染することが防止される。
【００１９】
上記の複数列の噴射部１６ａ〜ｃおよび複数個の噴孔１７ａ〜ｃを備えたエアゾール製品１０は、図２に示すように、部屋２０のコーナー部２０ａに配置して噴霧させる。そのとき、水平方向の角度が異なる３列の噴出部１６ａ〜ｃにより、壁に沿った噴霧線Ｐ１、Ｐ２と、反対側のコーナー部２０ｂを目指す噴霧線Ｐ３の３本の噴霧線に沿って噴霧が行われる。そして各噴霧線について、上下方向の角度が異なる複数個の噴孔１７ａ〜ｃにより、エアゾール製品１０からの距離が異なる楕円で示す複数箇所に薬剤が散布されるパターンを描く。それにより広い範囲での薬剤の床面への適用、あるいは空気中への散布が行われる。
【００２０】
前記エアゾール製品１０に用いる容器本体１１は、従来のものと同じものを用いることができ、通常はアルミニウムやブリキの金属板を成形した円筒状の缶容器である。ただし合成樹脂容器やガラス容器などを用いてもよく、形状も円筒状のものに限定されない。バルブ１２は、たとえば図３に示すような、ステム１３を押し下げることにより内容物を噴出する従来公知ものが用いられる。図３のバルブ１２は、マウンティングカップ２１と、そのマウンティングカップに保持されるハウジング２２と、ハウジング内に上下動自在に収容されるステム１３と、そのステムを上向きに付勢するバネ２３と、ステム１３の上下動に応じてステム孔を開閉するステムラバー２４と、マウンティングカップ２１と容器本体１１の間に開示されるガスケット２５とからなる従来公知のものが用いられる。なお符号２６はディップチューブである。
【００２１】
ボタン１４としては、図３に示すような、一旦押し下げると肩カバー１５の係合部１５ａなどと係合して、そのまま開放状態を維持するロック機構２７を設けた、いわゆる連続噴射タイプのボタンを採用している。ボタン１４の側面に向けられている噴孔１７は、それぞれ連通孔２８により中心通路２９に連通され、さらにステム１３内のホールに連通されている。
【００２２】
噴孔１７の径、ステム孔の径、ハウジングの下穴の大きさ、ベーパタップの有無などは、噴霧粒子の大きさに影響するが、噴霧粒子の平均粒子径が５〜２０μｍになるように設計するのが好ましい。５μｍより小さい場合は、軽すぎて空気中に浮遊しやすく、２０μｍより大きい場合はすぐに床に落下しやすいためである。たとえば、噴孔１７の径は０．３〜０．８ｍｍ程度、ステム孔の径は  ０．２〜０．６ｍｍ程度、ハウジングの下穴の径は０．６〜２．２ｍｍ程度、ベーパータップの径は０．２〜０．５ｍｍ程度が好ましい。
【００２３】
容器本体１１に充填する組成物は、有効成分を配合した原液と、その原液を加圧するための噴射剤とからなる。有効成分としては、殺虫剤、殺菌剤、殺ダニ剤、害虫忌避剤、芳香剤、消臭剤などが挙げられる。
【００２４】
殺虫剤としては、たとえばアレスリン、ピナミンフォルテ、バイオアレスリン、エスバイオール、レスメトリン、フラメトリン、プラレトリン、テラレスリン、フタルスリン、ネオピナミンフォルテ、フェノトリン、ペルメトリン、シフェノトリン、サイパーメスリン、トランスフルスリン、イミプロトリンなどのピレスロイド系の化合物が安全性の観点から好ましい。また、プロポクサーなどのカーバメイト系のもの、メトキサジアゾンなどのオキサジアゾール系のもの、ＤＤＶＰなどの有機リン系のもの、さらにメタアルデヒドなどが挙げられる。さらに上記の異性体、類縁体なども使用できる。
【００２５】
前記害虫忌避剤としては、２，３，４，５−ビス（△2 −ブチレン）−テトラヒドロフルフラール、ジ−ｎ−プロピルイソシンコメロネート、ジ−ｎ−ブチルサクシネート、２−ヒドロキシエチルオクチルサルファイド、２−ｔ−ブチル−４−ヒドロキシアニソール、３−ｔ−ブチル−４−ヒドロキシアニソール、１−エチニル−２−メチルーペンテニル２，２，３，３−テトラメチルシクロプロパンカルボキシレート、１−エチニル−２−メチル−２−ペンテニル２，２−ジメチル−３−（２’，２’−ジクロルビニル）−シクロプロパン−１−カルボキシレート、１−エチニル−２−メチル−２−ペンテニル２，２−ジメチル−３−（２’，２’−プロピペニル）−シクロプロパン−１−カルボキシレート、Ｎ−ヘキシル−３，４−ジクロルマレイミド、ディート、四級アミンなどが挙げられる。
【００２６】
殺ダニ剤としては、フェノトリン、ペルメトリン、レスメトリン、ＩＢＴＡ、ＩＢＴＥ、第４級アンモニウム塩、安息香酸ベンジル、安息香酸フェニル、サリチル酸ベンジル、サリチル酸フェニル、３−ブロモ−２，３−ジヨード−２−プロペニル−エチルカルボナート、４−クロルフェニール−３−ヨードプロパギルホルマールなどが挙げられる。殺菌剤としては、パラ−クロロ−メタキシレノール（ＰＣＭＸ）、２，４，４’−トリクロロ−２’−ハイドロキシジフェニルエーテル（イルガサンＤＰ−３００）、３−ヨード−２−プロピニルブチルカーバメート（トロイサン）、チアベンダゾール（ＴＢＺ）、アルキルジ（アミノエチル）グリシン塩酸塩（Ｔｅｇｏ５１）などが挙げられる。
【００２７】
また、芳香剤としては、麝香、ベルガモット油、シナモン油、シトロネラ油、レモン油、レモングラス油などの天然香料、ピネン、リモネン、リナロール、メントール、ボルネオール、オイゲノール、シトラール、シトロネラール、ヘリオトピン、ワニリンなどの人工香料などが挙げられる。消臭剤としては、ラウリルメタクリレート、ゲラニルクロトネート、ミリスチン酸アセトフェノン、パラメチルアセトフェノンベンゾアルデヒドなどが挙げられる。
【００２８】
また原液には、前記有効成分を溶解もしくは分散させる溶媒が用いられ、溶媒としては水、低級アルコール、炭化水素、多価アルコール、ケトン類、エステル類などが用いられる。
【００２９】
前記水としては、精製水、イオン交換水、蒸留水など、特に限定はない。前記低級アルコールとしては、炭素数２〜３の一価のアルコール、具体的にはエタノール、プロパノール、イソプロパノールなどが挙げられる。
【００３０】
前記炭化水素としては、ヘキサン、ヘプタン、オクタン、ノナン、デカン、ウンデカン、ドデカン、トリデカン、テトラデカン、ペンタデカン、ヘキサデカン、エイコサン、ペンタコサンなどのパラフィン系脂肪族炭化水素、２，２，３，３−テトラメチルブタン、２，２−ジメチルヘキサン、２，２，３−トリメチルペンタン、２−メチルヘプタン、２，２，５−トリメチルヘキサン、２，２−ジメチルヘプタン、３，３，４−トリメチルヘキサン、２−メチルオクタン、２−メチルノナン、２−メチルデカンなどのイソパラフィン系脂肪族炭化水素、１−ペンテン、１−ヘキセン、１−ヘプテン、１−オクテン、１−ノネン、１−デセン、１−ウンデエン、１−ドデセン、１−トリデセン、１−テトラデセン、１−ペンタデセン、１−エイコセン、１−ペンタコセンなどのオレフィン系脂肪族炭化水素、さらにベンゼン、オクチルベンゼン、ドデシルベンゼン、フェニルキシリルエタンなどの芳香族炭化水素、およびこれらの混合物、たとえばケロシン、パラフィン、流動パラフィンなどが挙げられる。
【００３１】
前記多価アルコールとしては、エチレングリコール、プロピレングリコール、１，３−ブチレングリコールなどの２価のアルコール、グリセリン、トリメチロールプロパンなどの３価のアルコール、ペンタエリストリールなどの４価のアルコール、キシリトールなどの５価のアルコール、ソルビトール、マンニトールなどの６価のアルコール、ジエチレングリコール、ジプロピレングリコール、トリエチレングリコール、ポリプロピレングリコール、ジグリセリン、ポリエチレングリコール、トリグリセリンなどの多価アルコールの重合体、エチレングリコールモノエチルエーテル、エチレングリコールモノブチルエーテル、エチレングリコールモノフェニルエーテル、エチレングリコールモノヘキシルエーテル、エチレングリコールイソプロピルエーテル、エチレングリコールジメチルエーテル、ジエチレングリコールモノエチルエーテル、ジエチレングリコールモノブチルエーテル、トリエチレングリコールモノエチルエーテル、プロピレングリコールモノエチルエーテル、ジプロピレングリコールエチルエーテル、ジエチレングリコールジメチルエーテルなどのアルコールアルキルエーテル、エチレングリコールモノエチルエーテルアセテート、ジエチレングリコールモノエチルエーテルアセテート、プロピレングリコールモノエチルエーテルアセテート、プロピレングリコールモノプロピルエーテルアセテートなどのアルコールエーテルエステルなどが挙げられる。
【００３２】
前記ケトン類としては、アセトン、メチルエチルケトン、メチルイソブチルケトンなどが挙げられる。
【００３３】
前記エステル類としては、ミリスチン酸イソプロピル、オクタン酸セチル、ミリスチン酸オクチルドデシル、パルミチン酸イソプロピル、ステアリン酸ブチル、ミリスチン酸ミリスチル、オレイン酸デシル、乳酸セチル、乳酸ミリスチル、ステアリン酸イソセチル、イソステアリン酸イソセチル、酢酸ラノリン、酢酸エチル、酢酸ブチル、オレイン酸オイル、セトステアリルアルコール、アジピン酸ジイソブチル、セバシン酸ジイソプロピル、セバシン酸ジ−２−エチルヘキシル、ミリスチン酸−２−ヘキシルデシル、パルミチン酸−２−ヘキシルデシル、アジピン酸−２−ヘキシルデシルなどが挙げられる。
【００３４】
なお原液には前記有効成分、溶媒以外にも、その他の成分として、高級アルコール、界面活性剤、高級脂肪酸、シリコーン、油脂、ロウ、粉体、各種香料などを配合することができる。
【００３５】
前記高級アルコールとしては、ラウリルアルコール、セチルアルコール、ステアリルアルコール、ベヘニルアルコール、ミリスチルアルコール、オレイルアルコールなどの直鎖アルコール、モノステアリルグリセリンエーテル、ラノリンアルコール、ヘキシルドデカノール、イソステアリルアルコール、オクチルドデカノールなどの分枝鎖アルコールなどがあげられる。
【００３６】
前記界面活性剤としては、ソルビタン脂肪酸エステル、グリセリン脂肪酸エステル、デカグリセリン脂肪酸エステル、ポリグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキルエーテル、ポリオキシエチレンポリオキシプロピレンアルキルエーテル、ポリオキシエチレンアルキルフェニルエーテル、ポリオキシエチレンヒマシ油・硬化ヒマシ油、ポリオキシエチレンラノリン・ラノリンアルコール・ミツロウ誘導体、ポリオキシエチレンアルキルアミン・脂肪酸アミドなどが挙げられる。
【００３７】
前記高級脂肪酸としては、ラウリン酸、ミリスチン酸、パルミチン酸、ステアリン酸、ベヘニン酸、オレイン酸、イソステアリン酸、リノール酸、リノレイン酸、エイコサペンタエン酸（ＥＰＡ）、ドコサヘキサエン酸（ＤＨＡ）などが挙げられる。
【００３８】
前記シリコーンとしては、ジメチルポリシロキサン、メチルフェニルポリシロキサン、メチルハイドロジェンポリシロキサン、デカメチルポリシロキサン、テトラメチルテトラハイドロジェンポリシロキサンなどが挙げられる。
【００３９】
前記油脂としては、アボガド油、ツバキ油、タートル油、マカダミアナッツ油、トウモロコシ油、ミンク油、オリーブ油、ナタネ油、ゴマ油、ヒマシ油、アマニ油、サフラワー油、ホホバ油、胚芽油、ヤシ油、パーム油、硬化ヒマシ油などが挙げられる。
【００４０】
前記ロウとしては、ミツロウ、ラノリン、酢酸ラノリン、カンデリラロウ、カウナウバロウ、鯨ロウ、モンタンロウなどが挙げられる。
【００４１】
前記粉体としては、タルク、カオリン、雲母、セリサイト、炭酸マグネシウム、炭酸カルシウム、珪藻土、ケイ酸マグネシウム、ケイ酸カルシウム、ケイ酸アルミニウム、シリカ、ゼオライト、硫酸カルシウム、ヒドロキシアパタイト、セラミックパウダー、窒化硼素、二硫化モリブデンなどの無機粉末、ポリアミド樹脂粉末、ポリエチレン粉末、ポリスチレン粉末、ポリメタクリル酸メチル粉末、セルロース粉末、シリコーン樹脂粉末などの有機粉末などが挙げられる。
【００４２】
前記噴射剤としては、ブタン、プロパンおよびそれらの混合物である液化石油ガスやジメチルエーテル、テトラフロオエタン（フロン１３４ａ）やジフロロエタン（フロン１５２ａ）などのフロン類などの液化ガスや、窒素ガス、炭酸ガス、亜酸化窒素ガス、圧縮空気などの圧縮ガスが挙げられる。
【００４３】
噴孔から噴射される上記の組成物の原液と噴射剤の比率は、重量比でたとえば３０：７０〜８０：２０程度、とくに４０：６０〜７０：３０程度が好ましい。原液の重量が多すぎるとエアゾールの粒子径が大きくなり、床に落下しやすく、噴射剤が多すぎると、空気中の噴射剤の濃度が高くなり、危険であるだけでなく、粒子径が小さくなり、空気中に浮遊しやすくなるためである。
【００４４】
図１〜３のエアゾール製品１０は、このまま用いることもできるが、ボタンを押してから所定の時間が経過した後に噴射を開始する遅延機構を設けるのが好ましい。そのような遅延機構としては、ゼンマイ式あるいは電池作動の時計を組み込んだものも使用しうるが、エアゾール製品１０から噴出するガスの圧力を利用する従来公知の機構を用いるのが好ましい。そのような遅延機構としては、特開平１０−５３２８７号公報に示すものが挙げられる。
【００４５】
図４に示す遅延機構３０は、一端にバルブ側と連通する導入孔３１を有し、側壁に噴出部１６と連通する噴出孔３２を備えたシリンダ３３と、そのシリンダ内に摺動自在に収容されるピストン３４とから構成される。シリンダ３３の内部はピストン３４によって第１室３５と第２室３６とに仕切られている。導入孔３１は第１室３５に連通している。そして図４のようにピストン３４が第１室３５側に移動しているときは噴出孔３２が閉じられており、第２室３６側に移動すると開く。第２室３６の先端側の壁に外部との連通孔３７が形成されており、第２室３６内には粘度が高い液体などの流体が充填されている。さらにこの遅延機構では、外部に押し出された液体を収容するスライドキャップ３８が被せられている。なお噴出孔３２を１本とし、途中で分かれて各噴出部１６に連通させるようにしてもよい。またこの実施形態では、シリンダ３３の下端の円筒部３９にステム１３を挿入して固定しており、シリンダ３３は図１におけるボタン１４として利用しうる。また円筒部３９の下端から横向きに係合突起３９ａが突出しており、回動させてることにより肩カバー１５の上壁１５ａに係合するようにしている。係合突起３９ａおよび上壁１５ａはロック機構を構成している。
【００４６】
このものはシリンダ３３の上端を下向きに押して係合突起３９ａを上壁１５ａに係合させると、ステム１３が下降してバルブが開放した状態に維持される。それにより内容物が導入孔３１から第１室３５内に入り、その圧力でピストン３４を第２室３６側に押す。そのとき第２室内の液体は粘性抵抗によりゆっくりとスライドキャップ３８内に移動する。そしてピストン３４の第２室３６側への移動が完了すると、噴出孔３２が開き、噴出孔３２を経由して内容物が両側の噴出部１６、１６から噴出する。なお各噴出部１６、１６には、上下を向いた２個の噴孔１７ａ、１７ｃが設けられている。
【００４７】
このような遅延機構３０を備えたエアゾール製品１０では、使用者がバルブを開放する操作を行った後、ピストン３４が移動する時間だけ遅れて内容物の噴出が開始する。それにより、室外に待避する時間がとれるので、薬剤を吸引したり、体に薬剤がかかることが防止される。
【００４８】
上記の実施形態では、第２室３６に液体を充填しているが、図５に示す遅延機構４０では、連通孔３７をマイクロキャピラリーとすることにより、空気の粘性抵抗を利用することができる。マイクロキャピラリーの内径は１０〜５００μｍ程度、長さは３〜５０ｍｍ程度が好ましい。気体を遅延機構の流体として利用する場合は、スライドキャップ３８は不要であり、製造も容易である。なお図５の遅延機構では、シリンダ３３をボタン１４の内部に形成した横向きの穴により構成している。また左右の噴出部１６ａ、１６ｂにはそれぞれ上、中、下を向いた３個の噴孔１７ａ、１７ｂ、１７ｃが設けられている。
【００４９】
図６に示すエアゾール製品４２は、ボタン１４から横方向にノズル４３が突出し、それらの先端に噴出部１６を備えたチップ４５が設けられている。そして各噴出部１６の噴孔１７ａ、１７ｂが水平方向および下側を向いている。すなわちいずれの噴孔１７ａ、１７ｂもボタン１４の天面１４ａよりも下側を向いている。このものは床面４１上に載置してボタン１４を押すと、噴出部１６から内容物が水平方向に噴射され、ほぼ横および下方向に噴霧粒子が拡がる。そのため図１のエアゾール製品１０に比して、一層舞い上がりが防止される。さらに平均粒子径を大きくすると、一層抑制しうる。
【００５０】
なおチップ４５の側面に噴出部を設け、チップ４５あるいはノズル４３を回動自在に構成するときは、噴出部の角度を自由に変更することができる。そのため種々の噴射パターンを形成することができる。なおチップ４５の先端に噴出部を形成し、ノズル４３をボタン１４に対して上下方向の角度を変更できるように構成する場合も同様の作用効果を奏することができる。
【００５１】
上記のエアゾール製品はいずれも図１ｃの場合と同じく、高さの制限面Ｆを超えないようにしている。そのため家具やテーブル上の食器などを汚染することがない。
【００５２】
図５、図６のエアゾール製品３０、４０では、噴出部１６が両側に設けられているので、たとえば図７に示すような平面形状が細長い部屋５０の場合は、部屋５０の中央部にエアゾール製品１０を配置して、噴出部１６を部屋の長手方向に向くようにする。それにより部屋全体の床面に内容物を広く散布することができる。なお想像線で示すように、噴射部１６を部屋のコーナー部に向けるようにしてもよい。
【００５３】
図８に示すエアゾール製品５１は、四方に向けて噴出部１６が設けられている。このものは正方形に近い部屋５２に噴霧するのに好適である。すなわちエアゾール製品５１を部屋の中央部に配置した上で、噴出部１６を部屋のコーナー部５３に向くように設置すると、コーナー部５３に近いところまで噴霧粒子が到達するので、部屋５２の隅々まで散布することができる。なお、部屋５１の隅にタンスや柱などの障害物５４ないし薬剤をかけると好ましくないものがある場合は、想像線で示すように、各壁５５に噴出部１６が向くように配置すればよい。このような四方に噴射部１６を有する構成は、床面に散布するための噴孔を下あるいは水平に向けたエアゾール製品だけでなく、噴孔を斜め上に向けた空間噴霧用のエアゾール製品についても採用することができる。
【００５４】
部屋の面積が広い場合は、上記のエアゾール製品１０、５１を２本、あるいはそれ以上設置して、同時に内容物を噴出させる。その場合、遅延機構を有するエアゾール製品の場合は、一方のエアゾール製品を操作した上で、他方のエアゾール製品を操作しても、内容物が使用者にかかることがない。
【００５５】
図９に示すエアゾール製品６０は、噴出部１６が平面視で約１２０゜間隔で３個所に設けられている。このものは部屋６１の中央よりいくらか一方の壁６２に寄せて配置し、噴霧を行う。このようにすると、図面の左側のコーナー部５３、５３に重点的に噴霧することができ、しかも他方の壁６３側にもある程度噴霧することができる。
【００５６】
なお噴出部の数は上記の２〜４箇所だけでなく、図１０に示すエアゾール製品６５のように５箇所、あるいはそれ以上設けることができる。図１０に示すエアゾール製品６５は、障害物５４を避けながらかなり広い範囲に噴霧することができる。図９のエアゾール製品６０および図１０のエアゾール製品６５についても、床面に散布するための噴出部１６を下側あるいは水平に向けエアゾール製品だけでなく、噴出部を斜め上側に向けた空間噴霧用に採用することができる。
【図面の簡単な説明】
【図１】  図１ａは本発明のエアゾール製品の一実施形態を示す側面図、図１ｂはそのエアゾール製品のボタンの拡大斜視図、図１ｃはそのエアゾール製品の噴射状態を示す側面図である。
【図２】  そのエアゾール製品の噴射パターンを示す平面図である。
【図３】  そのエアゾール製品の断面図である。
【図４】  本発明にかかわる遅延機構の実施形態を示す断面図である。
【図５】  本発明にかかわる遅延機構の他の実施形態を示す断面図である。
【図６】本発明の範囲外のエアゾール製品を示す側面図である。
【図７】本発明の範囲外のエアゾール製品の噴射パターンを示す概略平面図である。
【図８】本発明の範囲外のエアゾール製品の噴射パターンを示す概略平面図である。
【図９】本発明の範囲外のエアゾール製品の噴射パターンを示す概略平面図である。
【図１０】本発明の範囲外のエアゾール製品の噴射パターンを示す概略平面図である。
【符号の説明】
１０  エアゾール製品
１１  容器本体
１２  バルブ
１３  ステム
１４  ボタン
１４ａ  天面
１５  肩カバー
１６、１６ａ、１６ｂ、１６ｃ  噴出部
１７、１７ａ、１７ｂ、１７ｃ  噴孔
Ｈ  水平面
Ｓ  空間
Ｆ  制限面
１８  テーパー部
１９  床面
２０  部屋
２０ａ、２０ｂ  コーナー部
Ｐ１、Ｐ２、Ｐ３  噴射線
２１  マウンティングカップ
２２  ハウジング
２３  バネ
２４  ステムラバー
２５  ガスケット
２６  ディップチューブ
２７  ロック機構
２８  連通孔
２９  中心通路
３０  遅延機構
３１  導入孔
３２  噴出孔
３３  シリンダ
３４  ピストン
３５  第１室
３６  第２室
３７  連通孔
３８  スライドキャップ
３９  円筒部
３９ａ  係合突起
１５ａ  上壁
４０  遅延機構
４２  エアゾール製品
４３  ノズル
４５  チップ
５０  部屋
５１  エアゾール製品
５２  部屋
５３  コーナー部
５４  障害物
５５  壁
６０  エアゾール製品
６１部屋
６２  壁
６３  壁
６５エアゾール製品
【図１】
0004313921.tif 000002
【図２】
0004313921.tif 000003
【図３】
0004313921.tif 000004
【図４】
0004313921.tif 000005
【図５】
0004313921.tif 000006
【図６】
0004313921.tif 000007
【図７】
0004313921.tif 000008
【図８】
0004313921.tif 000009
【図９】
0004313921.tif 000010
【図１０】
0004313921.tif 000011